(57)【要約】【課題】季節によって採光および通風を使い分けることができる収納構造を提供する。【解決手段】収納部４を開閉する戸５は、それを上部位置に設けた場合に、戸５の上端が高窓２の上端の高さ位置と等しく、かつ戸５の下端が収納部４の下端の高さ位置と等しくなり、戸５を下部位置に設けた場合に、戸５の上端が収納部４の上端の高さ位置と等しく、かつ戸５の下端が地窓３の下端の高さ位置と等しくなるように、上下の長さが設定されているので、戸５の取り付け位置を変更することによって、季節によって採光および通風を使い分けることができる【選択図】図２
2008206561.tif 000002
【特許請求の範囲】
【請求項１】
建物の壁の上下部にそれぞれ高窓と地窓とが上下に所定間隔で設けられ、
前記高窓と地窓との間の壁面に収納部が該壁面から突出するようにして設けられ、
前記収納部を開閉する戸はその上下方向の位置を変更可能に設けられており、
前記戸は、それを上部位置に設けた場合に、該戸の上端が前記高窓の上端の高さ位置と等しく、かつ前記戸の下端が前記収納部の下端の高さ位置と等しくなり、前記戸を下部位置に設けた場合に、該戸の上端が前記収納部の上端の高さ位置と等しく、かつ前記戸の下端が前記地窓の下端の高さ位置と等しくなるように、上下の長さが設定されていることを特徴とする収納構造。
【請求項２】
請求項１に記載の収納構造において、
前記戸は開き戸であり、
前記収納部には、受金具が上下に所定間隔で複数取り付けられており、
前記開き戸には、前記受金具に着脱可能に取り付けられる取付金具が取り付けられており、
前記受金具に前記取付金具を取り付けることによって、前記開き戸が前記収納部に開閉可能に取り付けられていることを特徴とする収納構造。
【請求項３】
請求項２に記載の収納構造において、
前記受金具と取付金具のうちの、一方が筒部を備えており、他方が前記筒部に回転可能に挿入される軸部を備えていることを特徴とする収納構造。
【請求項４】
請求項１〜３のいずれか一項に記載の収納構造において、
前記収納部の底部には照明が設けられていることを特徴とする収納構造。
【発明の詳細な説明】
【技術分野】
【０００１】
本発明は、高窓と地窓の間の壁面に設けられた収納構造に関する。
【背景技術】
【０００２】
吊戸棚下部の採光窓の前面側に設けられる収納部の一例として特許文献１に記載のものが知られている。この文献に記載の収納部は、吊戸棚下面のＬ字形の支持部材に開閉扉 が開閉可能に枢着支持され、この開閉扉が透光性を有する遮蔽板により遮蔽されると共にその背面には２つの収納棚が取り付けられ、閉鎖時の開閉扉が採光窓の室内側前面に対応するように構成されている。このように構成することで、採光窓からの光が遮蔽されることなく吊戸棚下部の空間を収納空間として有効利用することができる。
【特許文献１】特開２００５−１９２８４０号公報
【発明の開示】
【発明が解決しようとする課題】
【０００３】
ところが、上記従来の収納部では、採光窓からの光を遮蔽することなく吊戸棚下部の空間を収納空間として利用できるが、夏季の太陽光を積極的に遮蔽するとともに、朝夕の比較的涼しい風を有効に採り入れたり、また、冬季の太陽光を積極的に採り入れたりするなどの工夫は全くなされていない。つまり、季節によって採光および通風を使い分けることができるような工夫はなされていない。
【０００４】
本発明は上記事情に鑑みてなされたもので、季節によって採光および通風を使い分けることができる収納構造を提供することを課題としている。
【課題を解決するための手段】
【０００５】
上記課題を解決するために、請求項１に記載の発明は、例えば図１〜図４に示すように、建物の壁１の上下部にそれぞれ高窓２と地窓３とが上下に所定間隔で設けられ、
前記高窓２と地窓３との間の壁面１ａに収納部４が該壁面１ａから突出するようにして設けられ、
前記収納部４を開閉する戸５はその上下方向の位置を変更可能に設けられており、
前記戸５は、それを上部位置に設けた場合に、該戸５の上端が前記高窓２の上端の高さ位置と等しく、かつ前記戸５の下端が前記収納部４の下端の高さ位置と等しくなり、前記戸５を下部位置に設けた場合に、該戸５の上端が前記収納部４の上端の高さ位置と等しく、かつ前記戸５の下端が前記地窓３の下端の高さ位置と等しくなるように、上下の長さが設定されていることを特徴とする。
【０００６】
請求項１に記載の発明によれば、収納部４を開閉する戸５を上部位置に設けた場合、該戸５の上端が高窓２の上端の高さ位置と等しく、かつ戸５の下端が収納部４の下端の高さ位置と等しくなるので、戸５を閉じた状態において、戸５の上部で高窓２を室内側に対して遮蔽できるとともに、地窓３を室内側に対して開放できる。したがって、夏季にこのように戸５を設けることによって、高窓２からの太陽光を戸５の上部によって遮断することができるとともに、地窓３を開放することによって、地窓５から涼風を採り入れることができる。
一方、収納部４を開閉する戸５を下部位置に設けた場合、該戸５の上端が収納部４の上端の高さ位置と等しく、かつ戸５の下端が地窓３の下端の高さ位置と等しくなるので、戸５を閉じた状態において、高窓２を室内側に対して開放できるとともに、戸５の下部で地窓３を室内側に対して遮蔽できる。したがって、冬季にこのように戸５を設けることによって、高窓２から太陽光を採り入れることができるとともに、地窓３からの冷気を戸５の下部によって遮蔽できる。このように、本発明の収納構造では季節によって採光および通風を使い分けることができる。
【０００７】
請求項２に記載の発明は、請求項１に記載の収納構造において、
前記戸５は開き戸５であり、
前記収納部４には、受金具６が上下に所定間隔で複数取り付けられており、
前記開き戸５には、前記受金具６に着脱可能に取り付けられる取付金具７が取り付けられており、
前記受金具６に前記取付金具７を取り付けることによって、前記開き戸５が前記収納部４に開閉可能に取り付けられていることを特徴とする。
【０００８】
請求項２に記載の発明によれば、取付金具７を受金具６から取り外したうえで、戸５の取付位置を上下に調整し、再び、取付金具７を受金具６に取り付けることによって、開き戸５を上部位置と下部位置とのいずれかに容易に設けることができる。
【０００９】
請求項３に記載の発明は、請求項２に記載の収納構造において、
前記受金具６と取付金具７のうちの、一方が筒部６ｂを備えており、他方が前記筒部６ｂに回転可能に挿入される軸部７ｂを備えていることを特徴とする。
【００１０】
ここで、受金具６が筒部６ｂを備え、取付金具７が軸部７ｂを備えている場合、軸部７ｂを筒部６ｂに上方から挿入する。一方、取付金具が筒部を備え、受金具が軸部を備えている場合、軸部を筒部に下方から挿入する。
【００１１】
請求項３に記載の発明によれば、軸部７ｂを筒部６ｂに挿入することによって、開き戸５を収納部４に容易に開閉可能にかつ着脱可能に取り付けることができる。
【００１２】
請求項４に記載の発明は、請求項１〜３のいずれか一項に記載の収納構造において、
前記収納部４の底部には照明８が設けられていることを特徴とする。
【００１３】
請求項４に記載の発明によれば、照明８を照らすことによって、夜において収納部４の下方空間を明るくすることができる。したがって、この下方空間を収納所として有効に利用できる。また、下方空間を子供が屈んで遊べる空間とすることもできる。
【発明の効果】
【００１４】
本発明によれば、収納部を開閉する戸を、それを上部位置に設けた場合に、該戸の上端が高窓の上端の高さ位置と等しく、かつ戸の下端が収納部の下端の高さ位置と等しくなり、戸を下部位置に設けた場合に、該戸の上端が収納部の上端の高さ位置と等しく、かつ戸の下端が地窓の下端の高さ位置と等しくなるように、上下の長さが設定されているので、夏季に戸を上部位置に設けることによって、高窓からの太陽光を遮断することができるとともに、地窓から涼風を採り入れることができ、一方冬季に戸を下部位置に設けることによって、高窓から太陽光を採り入れることができるとともに、地窓からの冷気を遮蔽できる。したがって、季節によって採光および通風を使い分けることができる。
【発明を実施するための最良の形態】
【００１５】
以下図面を参照して本発明の実施の形態について説明する。
図１は本発明に係る収納構造を示す正面図、図２は同縦断面図である。
これらの図に示すように、建物の壁１の上下部にはそれぞれ高窓２と地窓３とが上下に所定間隔をもって設けられている。壁１は外壁であり、図２（ａ）、（ｂ）のそれぞれにおいて壁１より右側が外部であり、左側が室内である。
高窓２は天井より若干低い位置に設けられており、上端を支点として前後に開閉するようになっている。地窓３はその下端が床面とほぼ等しい高さ位置にあり、上端を支点として前後に開閉するようになっている。なお、前記高窓２や地窓３は引違い式の窓に構成してもよい。
【００１６】
高窓２と地窓３との間の壁面１ａには、収納部４が該壁面１ａから突出するようにして設けられている。この収納部４は前面が開いたボックス状のものであり、上下方向中央部に棚板４ａが設けられている。また、収納部４は左右に一対設けられており、それぞれが左右一対の開き戸５，５によって開閉されるようになっている。なお、図１においては、左側の一対の開き戸５，５を記載しているが、右側の一対の開き戸は収納部４の内部構造を見せるために記載を省略している。
【００１７】
前記開き戸５は、その上下方向の位置を変更可能に前記収納部４の側板４ｂに設けられている。
すなわち、開き戸５は、図２（ｂ）に示すように、それを上部位置に設けた場合に、該開き戸５の上端が高窓２の上端の高さ位置と等しく、かつ開き戸５の下端が収納部４の下端の高さ位置と等しくなり、図２（ａ）に示すように、開き戸５を下部位置に設けた場合に、該開き戸５の上端が収納部４の上端の高さ位置と等しく、かつ開き戸５の下端が地窓３の下端の高さ位置と等しくなるように、上下の長さが設定されている。
【００１８】
そして、開き戸５は以下のようにして収納部４に着脱可能に取り付けられている。すなわちまず、図３および図４に示すように、収納部４の側板４ｂの側端面には、３個の受金具６・・・が上下に一定間隔で設けられている。受金具６は図４に示すように、固定板６ａとこの固定板６ａに設けられた筒部６ｂとを備えており、固定板６ａを収納部４の側板４ｂの側端面にビス等によって固定することによって、該側端面に筒部６ｂの軸を上下に向けて取り付けられている。
【００１９】
一方、前記開き戸５の裏面の側端部には、取付金具７，７が上下に間隔をもって設けられている。
取付金具７は図４に示すように、固定板７ａと、この固定板７ａに設けられた軸部７ｂとを備えている。開き戸５の裏面の側端部に凹所５ａが形成されており、この凹所５ａに前記固定板７ａを嵌め込み、ビス等によって固定することによって、該凹所５ａに取付金具７が取り付けられている。軸部７ｂは水平軸と垂直軸とを備えたＬ字状のものであり、垂直軸が上下に向けられ、かつ水平軸の端部が固定板７ａに固定されている。また、垂直軸は開き戸５の裏面より突出している。
また、取付金具７，７の間隔は、上下に隣り合う受金具６，６の間隔と等しく設定されている。
【００２０】
そして、取付金具７はその軸部７ｂの垂直軸を、受金具６の筒部６ｂに上方から挿入することによって、該受金具６に垂直軸を軸として回動可能にかつ着脱可能に取り付けられている。
このようにして、取付金具７を受金具６に取り付けることによって、開き戸５が収納部４に開閉可能にかつ着脱可能に取り付けられている。
図３に示すように、開き戸５の２つの取付金具７，７を３つの受金具６・・・のうちの上２つの受金具６，６に取り付けることによって、開き戸５の上端が高窓２の上端の高さ位置と等しく、かつ開き戸５の下端が収納部４の下端の高さ位置と等しくなっている。
一方、開き戸５の２つの取付金具７，７を３つの受金具６・・・のうちの下２つの受金具６，６に取り付けることによって、開き戸５の上端が収納部４の上端の高さ位置と等しく、かつ開き戸５の下端が地窓３の下端の高さ位置と等しくなっている。
【００２１】
また、図２に示すように、収納部４の底部には凹所が形成されており、この凹所４には照明８が設けられている。この照明８としては例えば、収納部４の幅方向に延在する蛍光灯を使用できる。
【００２２】
上記のような構成の収納構造では、夏季は図２（ｂ）に示すように、収納部４を開閉する開き戸５を上部位置に設ける。つまり開き戸５の２つの取付金具７，７を３つの受金具６・・・のうちの上２つの受金具６，６に取り付ける。
この場合、開き戸５の上端が高窓２の上端の高さ位置と等しく、かつ開き戸５の下端が収納部４の下端の高さ位置と等しくなるので、開き戸５を閉じた状態において、開き戸５の上部で高窓２を室内側に対して遮蔽できるとともに、地窓３を室内側に対して開放できる。したがって、夏季にこのように開き戸５を設けることによって、高窓２からの太陽光を開き戸５の上部によって遮断することができるとともに、地窓３を開放することによって、地窓３から涼風を採り入れることができる。
【００２３】
一方、冬季は図２（ａ）に示すように、収納部４を開閉する開き戸５を下部位置に設ける。つまり開き戸５の２つの取付金具７，７を３つの受金具６・・・のうちの下２つの受金具６，６に取り付ける。
この場合、開き戸５の上端が収納部４の上端の高さ位置と等しく、かつ開き戸５の下端が地窓３の下端の高さ位置と等しくなるので、開き戸５を閉じた状態において、高窓２を室内側に対して開放できるとともに、開き戸５の下部で地窓３を室内側に対して遮蔽できる。したがって、冬季にこのように開き戸５を設けることによって、高窓２から太陽光を採り入れることができるとともに、地窓３からの冷気を開き戸５の下部によって遮蔽できる。
上記のようにして、本実施の形態の収納構造では季節によって採光および通風を使い分けることができる。
【００２４】
また、収納部４には、開き戸５を開閉可能に受ける３つの受金具６が上下に所定間隔で取り付けられており、開き戸５には、受金具６に着脱可能に取り付けられる２つの取付金具７が上下に所定間隔で取り付けられており、受金具６に取付金具７を取り付けることによって、開き戸５が収納部４に開閉可能に取り付けられているので、取付金具７を受金具６から取り外したうえで、開き戸５の取付位置を上下に調整し、再び、取付金具７を受金具６に取り付けることによって、開き戸５を上部位置と下部位置とのいずれかに容易に設けることができる。
さらに、受金具６が筒部６ｂを備え、取付金具７が軸部７ｂを備えているので、軸部７ｂの垂直軸を筒部６ｂに上方から挿入することによって、開き戸５を収納部４に容易に開閉可能にかつ着脱可能に取り付けることができる。
また、収納部４の底部に照明８が設けられているので、照明を照らすことによって、夜において収納部４の下方空間を明るくすることができる。したがって、この下方空間を収納所として有効に利用できる。また、下方空間を子供が屈んで遊べる空間とすることもできる。
【００２５】
なお、上記実施の形態では、受金具６が筒部６ｂを備え、取付金具７が軸部７ｂを備えた構成としたが、これとは逆に、取付金具が筒部を備え、受金具が軸部を備えた構成としてもよい。この場合、軸部を水平軸とこの水平軸の端部から上方に垂直に延びる垂直軸とから構成し、該垂直軸を筒部に下方から挿入すればよい。
【図面の簡単な説明】
【００２６】
【図１】本発明に係る収納構造の一例を示すもので、その正面図である。
【図２】同、縦断面図である。
【図３】同、受金具と取付金具の位置関係を示した正面図である。
【図４】同、受金具と取付金具を示した斜視図である。
【符号の説明】
【００２７】
１  壁
２  高窓
３  地窓
４  収納部
５  戸（開き戸）
６  受金具
６ｂ  筒部
７  取付金具
７ｂ  軸部
８  照明
【図１】
2008206561.tif 000003
【図２】
2008206561.tif 000004
【図３】
2008206561.tif 000005
【図４】
2008206561.tif 000006